(57)【要約】【課題】クリーナとしての機能を備えるとともに、種々の装飾を施すことが可能な携帯型電子機器用クリーナを短納期で安価に提供する。【解決手段】複数のシート状の素材３〜７を積層し、該複数の素材３〜７間を接着して構成された本体部材２を備え、前記本体部材２の表面を形成するシート状の素材を、デザインが表面に表示された装飾層４とし、裏面を形成するシート状の素材を清掃用のクリーナ層７とするとともに、前記装飾層４の上に保護層３を設けた。【選択図】　　　図１
0003098747.tif 000002
【実用新案登録請求の範囲】
【請求項１】
複数のシート状の素材を積層し、該複数の素材間を接着して構成された本体部材を備え、
前記本体部材の表面を形成するシート状の素材を、デザインが表面に表示された装飾層とし、裏面を形成するシート状の素材を清掃用のクリーナ層とするとともに、前記装飾層の上に保護層を設けたことを特徴とする携帯型電子機器用クリーナ。
【請求項２】
前記本体部材は、複数のシート状の素材を積層し該複数の素材間を接着したものを、当該積層方向にプレス抜きすることで所定の形状に成形されることを特徴とする請求項１に記載の携帯型電子機器用クリーナ。
【請求項３】
前記装飾層は、紙を素材とし、該紙の表面が印刷面であることを特徴とする請求項１または２に記載の携帯型電子機器用クリーナ。
【請求項４】
前記クリーナ層と前記装飾層との間に緩衝層を介装したことを特徴とする請求項１〜３のいずれかに記載の携帯型電子機器用クリーナ。
【請求項５】
前記クリーナ層と前記装飾層との間であって、前記装飾層の直下の層として装飾下地層を介装したことを特徴とする請求項１〜４のいずれかに記載の携帯型電子機器用クリーナ。
【請求項６】
前記携帯型電子機器と前記本体部材とをつなぐ連結部材を備えていることを特徴とする請求項１〜５のいずれかに記載の携帯型電子機器用クリーナ。
【請求項７】
前記本体部材に、前記連結部材を取り付ける取付け孔を前記プレス抜きによって形成したことを特徴とする請求項１〜６のいずれかに記載の携帯型電子機器用クリーナ。
【請求項８】
前記連結部材は、コイルばね形状であることを特徴とする請求項１〜７のいずれかに記載の携帯型電子機器用クリーナ。
【考案の詳細な説明】
【０００１】
【考案の属する技術分野】
本考案は、携帯型電子機器を清掃するためのクリーナに関する。
【０００２】
【従来の技術】
携帯型電子機器としては、携帯電話やデジタルカメラなどの精密機器がある。これらの携帯型電子機器の表面は、手で把持して使用するため、皮脂による汚れなどが付着する。特に液晶画面等の表示面が汚れた場合は、視認性への影響があるため、適宜、表示面を拭く必要がある。そこで、従来から、携帯型電子機器に連結して携行することができるクリーナが考えられている。
【０００３】
このような、携帯型電子機器用クリーナとしては、例えば携帯型電子機器のストラップ等の装着部に取り付け得るように構成されているものが知られている。例えば特開２０００−３４２３２２号公報（以下、技術文献１と称する）に記載の技術では、一般に「ワイピングクロス」などと呼ばれ、眼鏡拭き等に用いられている布を細長い平帯状の紐部材としてストラップを形成しクリーナとしている。
【０００４】
また、例えば特開２００２−２１９０９３号公報（以下、技術文献２と称する）に記載の技術では、装飾用の素材を表側（表地）に用いるとともに、クリーナ用の素材を裏側（裏地）に用いている。そして、これらの外周を、溶着（例えばウェルダー加工）によって相互に接合したり、あるいは開口部とするための一部を除いて相互に縫い合わせて袋体とし、さらに、開口部から袋体の中に緩衝材を入れた後、開口部を縫合してクリーナとしている。
【０００５】
【考案が解決しようとする課題】
しかしながら、技術文献１に記載の技術では、細長い平帯状の紐部材自体をクリーナとして利用しているから、拭き取り作業を行う上では、その細長い平帯状の形態が必ずしも適しているとはいえない。すなわち、例えば液晶ディスプレー等の表示面の汚れを拭き取る際に、細長い平帯状の両端から指がはみ出てしまうと、かえって皮脂を付着させてしまうことになる。そこで、その形態の幅を拭き取り作業を行うために望ましい幅まで広げることも考えられるが、この場合は、携帯型電子機器用ストラップとしての美的外観を損なうことになるとともに、均一な幅からなる平帯状の形態に比して製造コストが増大する。
【０００６】
また、技術文献２に記載の技術では、ストラップの機能とは別に、クリーナを携帯型電子機器に連結して携行することができるから、技術文献１に記載の技術における問題は生じない。しかし、技術文献２に記載の技術によるクリーナは、袋体を形成し、袋体内部に緩衝材を入れ、その後、開口部を縫合するといった複数の製造工程があり、特に、袋体の開口を縫い合わせる等の縫製作業は自動化が困難であるため、やはり製造コストがかかる。
【０００７】
ところで、これら携帯型電子機器に用いられるストラップ等は、種々の装飾を施したものが製造されている。特に携帯電話などでは、使用者が長時間にわたって機器を携行するため、企業が顧客に広告を表示する対象として好適であり、その広告表示機能が注目されている。そのため、上述した携帯型電子機器用クリーナにおいても、本来のクリーナとしての機能に加えて、種々の装飾を安価に、短納期で提供することが望まれている。
本考案は、上述した問題点に着目してなされたものであり、クリーナとしての機能を備えるとともに、種々の装飾を施すことが可能な携帯型電子機器用クリーナを短納期で安価に提供することを課題としている。
【０００８】
【課題を解決するための手段】
上記課題を解決するために、本考案のうち請求項１に係る携帯型電子機器用クリーナは、複数のシート状の素材を積層し、該複数の素材間を接着して構成された本体部材を備え、前記本体部材の表面を形成するシート状の素材を、デザインが表面に表示された装飾層とし、裏面を形成するシート状の素材を清掃用のクリーナ層とするとともに、前記装飾層の上に保護層を設けたことを特徴としている。
【０００９】
本考案によれば、複数の素材を相互に接着し、積層しているから、容易に装飾層とクリーナ層とを備えた携帯型電子機器用クリーナとすることができる。そのため、製造工程が単純であるから製造も容易であり、短納期で安価にクリーナを提供することができる。そして、装飾面上に保護層を設けている。そのため、装飾層に施されたデザインを好適に保護することができる。
【００１０】
ここで、「デザイン」とは、文字、図形、色彩、およびこれらの組み合わせからなる図柄、並びにそれらを基にして広告を表示したものをいう。
また、請求項２に係る考案は、請求項１に記載の携帯型電子機器用クリーナであって、前記本体部材は、複数のシート状の素材を積層し該複数の素材間を接着したものを、当該積層方向にプレス抜きすることで所定の形状に成形されることを特徴としている。
【００１１】
本考案によれば、クリーナの所定の形状をプレス抜きによって形成している。そのため、量産に好適であり、より短納期でより安価にクリーナを提供することができる。また、例えば所定の形状によって装飾性を演出することもできる。
また、請求項３に係る考案は、請求項１または２に記載の携帯型電子機器用クリーナであって、前記装飾層は、紙を素材とし、該紙の表面が印刷面であることを特徴としている。
【００１２】
本考案によれば、装飾層に容易に種々の印刷を行うことができる。例えばカラー（写真）オフセット印刷などの高品質な印刷が可能である。また、例えばダイレクトフルカラー印刷も可能である。そのため、種々のデザインを容易に表示することができ、コストも安価にすることができる。
また、請求項４に係る考案は、請求項１〜３のいずれかに記載の携帯型電子機器用クリーナであって、前記クリーナ層と前記装飾層との間に緩衝層を介装したことを特徴としている。
【００１３】
本考案によれば、クリーナによる清掃作業の際、緩衝層を変形させることができるため、機器側に対して柔らかく触れつつ清掃できる。また、装飾層側の折れ曲がりも抑制されるため装飾層（特に印刷面）の折れ等を防止することができる。そのため、クリーナとしての機能をより好適に維持しつつ、装飾層に施されたデザインを好適に保護することができる。なお、「前記クリーナ層と前記装飾層との間」とは、相互の層に直接挟まれる場合と、その他の層（例えば装飾下地層）を介在して挟まれる場合のいずれをも含む意味である。
【００１４】
また、請求項５に係る考案は、請求項１〜４のいずれかに記載の携帯型電子機器用クリーナであって、前記クリーナ層と前記装飾層との間であって、前記装飾層の直下の層として装飾下地層を介装したことを特徴としている。
本考案によれば、クリーナによる清掃作業の際、装飾下地層が装飾層の過度な変形を防止することができるため、例えば、装飾層（特に印刷面）の折れ等を防止することができる。そのため、装飾層に施されたデザインをより好適に保護することができる。また、例えばクリーナ層と装飾層とを相互に接着する相性が良くない場合などは、装飾下地層を介して接着することによって全体をより好適な接着状態にすることができる。なお、「前記クリーナ層と前記装飾層との間」とは、相互の層に直接挟まれる場合と、その他の層（例えば緩衝層）を介在して挟まれる場合のいずれをも含む意味である。
【００１５】
また、請求項６に係る考案は、請求項１〜５のいずれかに記載の携帯型電子機器用クリーナであって、前記携帯型電子機器と前記本体部材とをつなぐ連結部材を備えていることを特徴としている。
本考案によれば、携帯型電子機器とクリーナとが連結されているから、クリーナの紛失を防止することができる。そして、上記いずれかの考案による装飾が施されたクリーナであるから、使用者に対する装飾機能、例えば広告表示の効果をより好適に発揮させることができる。そして、清掃が必要な際は、すぐにクリーナを使用することが可能である。
【００１６】
また、請求項７に係る考案は、請求項１〜６のいずれかに記載の携帯型電子機器用クリーナであって、前記本体部材に前記連結部材を取り付ける取付け孔を前記プレス抜きによって形成したことを特徴としている。
本考案によれば、クリーナの所定の形状をプレス抜きすると同時に連結部材の取付け孔を形成している。そのため、特段の加工工程を経ることなくクリーナの取付け孔を形成することができる。したがって、より安価にクリーナを提供することができる。
【００１７】
また、請求項８に係る考案は、請求項１〜７のいずれかに記載の携帯型電子機器用クリーナであって、前記連結部材は、コイルばね形状であることを特徴としている。
本考案によれば、コイルばね形状をした連結部材としている。そのため、連結部材を延び縮みさせることができるため、クリーナによる清掃作業をより容易に行うことができる。
【００１８】
【考案の実施の形態】
以下、本考案に係る携帯型電子機器用クリーナの一実施形態について、図面を参照して説明する。なお、図１は、本実施形態に係る携帯型電子機器用クリーナを説明する概略斜視図であり、同図では一部を破断して示している。また、図２は、携帯型電子機器用クリーナの本体部材の積層方向での断面図、図３は携帯型電子機器用クリーナを携帯型電子機器（同図は、携帯電話機の例）に取り付けた状態を説明する斜視図である。
【００１９】
図１に示すように、携帯型電子機器用クリーナ１（以下、単にクリーナ１という）は、本体部材２と、本体部材２に穿孔されて機器や部材に取り付けるための取付け孔９に一端が連結された連結部材１０とから構成されている。
連結部材１０は、可撓性のある樹脂をコイルばね状にして伸縮自在に形成されており、両端に金属製のフックがそれぞれ取り付けられている。
【００２０】
図１および図２に示すように、本体部材２は、所定の略矩形状をして五層からなる積層構造から形成されている。本体部材２の各層の構成は、表面を形成するシート状の素材である装飾層４と、裏面を形成するシート状の素材であるクリーナ層７と、装飾層４およびクリーナ層７の間に設けられた緩衝層６と、装飾層４の表面を保護するために設けられた保護層３と、装飾層４の裏面側（この例では装飾層４および緩衝層６の間）に設けられた装飾下地層５と、から構成されている。そして、各層は、相互に対向する面同士をそれぞれ全面接着しており、全体が一体となっている。
【００２１】
装飾層４には、紙（例えばコート紙）を採用しているため、容易に種々のデザインを表面に印刷することができるようになっている。例えばカラー（写真）オフセット印刷などの高品質な印刷が可能である。
保護層３の素材としては、例えばＰＰ（ポリプロピレン）、ＰＥＴ（ポリエチレンテレフタレート）、ＰＶＣ（ポリ塩化ビニル）等が例示できる。また、これら素材に種々の表面加工（例えば光沢、つや消し、絹目加工など）を施すことができる。また、レンチキュラーレンズやジャージ生地等を貼ることも可能である。
【００２２】
装飾下地層５としては、例えばＰＥＴ（ポリエチレンテレフタレート）、ＰＶＣ（ポリ塩化ビニル）等が例示できる。
緩衝層６には、不織布やスポンジ、ゴム等を好適に使用することができる。具体例としては、エバフレックス（登録商標）を例示することができる。エバフレックスは、エチレン系炭化水素を重合して作られた熱可塑性樹脂発泡体である。そのため、燃焼させてもダイオキシン類が発生しないため、環境に優しい素材として好適である。また、緩衝層６を介在させたことによって、クリーナ１による清掃作業の際、緩衝層６を変形させることができるため、機器側に対して柔らかく触れつつ清掃できるようになっている。そして、装飾層４側の折れ曲がりも抑制されるため装飾層４（特に印刷面）の折れ等を防止可能となっている。
【００２３】
クリーナ層７には、拭き取り用素材として極細繊維の布帛を採用している。このような素材の具体例としては、カネボウ合繊株式会社製のワイピングクロス「ザヴィーナミニマックス」（登録商標）を例示することができる。このワイピングクロスは、０．１デニール（１〜５ミクロンの太さ）のポリエステルとナイロンの断面がくさび状になった超極細繊維をハイゲージニットマシーンで編立後、縦横に超高収縮させ、編組織の面積を約４０％まで高密度化させている。そのため、くさび状になったポリエステルとナイロンとが、被拭浄物の微細な表面を捉え、且つ液晶画面やレンズの表面に傷を付けることなく、埃や汚れを確実に捕捉するとともに、捕捉した埃や汚れの再付着を防止可能となっている。
【００２４】
次に、クリーナ１の製造方法および使用方法について説明する。
まず、紙からなる装飾層４の表（おもて）面となる側に所定のデザイン（例えば広告）をオフセット印刷する。
次に、保護層３、装飾層４、および装飾下地層５をこの順番で重ね合わせて相互に高圧プレスによって貼り合わせる。
【００２５】
そして、装飾下地層５側に緩衝層６、およびクリーナ層７をこの順番で重ね合わせて相互に接着する。なお、接着は、予め緩衝層６の両面に接着剤が糊引きされており、容易に接着することができる。
最後に、上記積層状に形成された各素材を所定の外形形状（本実施形態では略矩形状）に積層方向にプレス抜きするとともに、取付け孔９を同時に穿孔してクリーナ１の本体部材２を完成することができる。
【００２６】
図３に示すように、クリーナ１は、取付け孔９に通した連結部材１０を、携帯型電子機器２０（同図では携帯電話）に連結することにより、携帯型電子機器２０と一体に携行することができる。通常は、種々のデザイン（広告を含む）が装飾層４に表示されているため、クリーナ１はアクセサリとして機能する。そして、例えば携帯型電子機器２０の液晶画面２０ａが汚れた場合には、クリーナ層７で液晶画面２０ａを拭いてよごれを拭き取るクリーナとして使用することができる。
【００２７】
以上説明したように、このクリーナ１は、本体部材２を複数の素材を相互に接着して積層している。そして、積層方向にプレス抜きして所定の形状にしている。そのため、容易に装飾層４とクリーナ層７とを備えたクリーナとすることができる。したがって、製造工程が単純であるから製造も容易であり、短納期で安価にクリーナ１を提供することができる。
【００２８】
さらに、このクリーナ１は、装飾層４に、紙（例えばコート紙）を採用しているため、容易に種々のデザインを印刷することができる。例えばカラー（写真）オフセット印刷などの高品質な印刷が可能である。また、例えばダイレクトフルカラー印刷も可能であり、コストも安価にすることができる。そのため、例えば、好みの図柄や文字を印刷したりシールを貼り付けることもできる。したがって、例えば企業が顧客に広告を表示する対象として特に好適である。
【００２９】
さらに、このクリーナ１は、保護層３を装飾層４の上に備えている。この保護層３は、各種素材に種々の表面加工（例えば光沢、つや消し、絹目加工など）を施すことができる。また、レンチキュラーレンズやジャージ生地等を貼ることも可能である。そのため、装飾層４に施されたデザインをより好適に保護するとともに、より好適にデザインを演出することができる。
【００３０】
さらにまた、クリーナ１は、緩衝層６を備えている。そのため、クリーナ１による清掃作業の際、緩衝層６を変形させることができるから、機器側に対して柔らかく触れつつ清掃できる。また、装飾層４側の折れ曲がりも抑制されるため装飾層４（特に印刷面）の折れ等を防止することができる。そのため、クリーナとしての機能をより好適に維持しつつ、装飾層４に施されたデザインをより好適に保護することができる。
【００３１】
さらにまた、クリーナ１は、装飾下地層５を備えている。そのため、クリーナ１による清掃作業の際、装飾下地層５が装飾層４の過度な変形を防止することができるため、例えば、装飾層４（特に印刷面）の折れ等を防止することができる。したがって、装飾層４に施されたデザインをより好適に保護することができる。また、例えばクリーナ層７と装飾層４とを相互に接着する相性が良くない場合などは、相互の素材に対して接着性の相性の良い素材からなる装飾下地層５を介して接着することによって、クリーナ１全体をより好適な接着状態にすることができる。
【００３２】
さらにまた、クリーナ１は、クリーナ層７に極細繊維の布帛を採用している。そのため、被拭浄物の微細な表面を捉え、且つ液晶画面やレンズの表面に傷を付けることなく、埃や汚れを確実に捕捉するとともに、捕捉した埃や汚れの再付着を防止することができる。なお、クリーナ層７は、汚れた場合であっても洗濯をすれば、再び汚れを落とす機能が回復可能であり、繰り返し使用することができる。
【００３３】
さらにまた、クリーナ１は、クリーナ１の所定の形状をプレス抜きすると同時に連結部材１０の取付け孔９を形成している。そのため、特段の加工工程を経ることなく取付け孔９を形成することができる。したがって、より安価にクリーナ１を提供することができる。
さらにまた、クリーナ１は、連結部材１０をコイルばね形状としている。そのため、連結部材１０を延び縮みさせることができる。したがって、クリーナ１による清掃作業をより容易に行うことができる。
【００３４】
なお、本考案に係る携帯型電子機器用クリーナは、上記の実施形態に限定されるものではない。
例えばクリーナ１の形状は、矩形形状に限定されるものではなく、各種キャラクター形、円形、楕円形、多角形、ハート形、くだもの形、動物形、人形等、任意の形状を選択してプレス抜きすることができる。プレス抜きされた本体部材の所定の形状をこのような種々の形状とすれば、クリーナの装飾性をより効果的に演出することもできる。
【００３５】
また、連結部材の形状や材料等も上記の実施形態に限定されず、例えば、通常の紐状ストラップの一端に上記実施形態の本体部材２を直接取り付けてもよい。その他、チェーンやボールチェーン等を連結部材として用いることもできる。
なおまた、上記実施形態では、本体部材を五層構造から構成しているが、これに限定されるものではない。
【００３６】
例えば上記実施形態では、装飾下地層５を備えているが、装飾下地層５は必ずしも必要ではなく、装飾下地層５を入れないで本体部材２を構成することもできる。
また、緩衝層６も必ずしも必要ではなく、緩衝層６を入れないで本体部材２を構成することもできる。しかし、機器側に対して柔らかく触れつつ清掃し、装飾層４側の折れ曲がりを抑制する上では緩衝層６を入れることが好ましい。
【００３７】
また、クリーナ層７には、超極細繊維の布帛を採用しているが、これに限定されず、例えば人工皮革を使用してもよい。
なおまた、本考案に係る携帯型電子機器用クリーナの用途は、上記の実施形態に限定されず、携帯電話の液晶画面の汚れ取り以外に、デジタルカメラ、携帯モバイル機器、眼鏡、カメラ等のレンズやその他の液晶画面の汚れ取りにも使用可能である。
【００３８】
【考案の効果】
以上説明したように、本考案に係る携帯型電子機器用クリーナによれば、クリーナとしての機能を備えるとともに、種々の装飾を施すことが可能な携帯型電子機器用クリーナを短納期で安価に提供することができる。
【図面の簡単な説明】
【図１】本考案の一実施形態に係る携帯型電子機器用クリーナを説明する斜視図である。
【図２】本考案の一実施形態に係る携帯型電子機器用クリーナの断面図である。
【図３】本考案の一実施形態に係る携帯型電子機器用クリーナを携帯型電子機器に取り付けた状態を説明する斜視図である。
【符号の説明】
１　　（携帯型電子機器用）クリーナ
２　　本体部材
３　　保護層
４　　装飾層
５　　装飾下地層
６　　緩衝層
７　　クリーナ層
９　　取付け孔
１０　　連結部材
２０　　携帯型電子機器
【図１】
0003098747.tif 000003
【図２】
0003098747.tif 000004
【図３】
0003098747.tif 000005